(57)【要約】【課題】投稿情報の投稿頻度に応じたタイミングで広告情報を提供する。【解決手段】情報処理システム１は、所定数の情報が時系列で表示されるタイムラインに、投稿情報および広告情報を表示させる。情報処理システム１は、投稿情報と、広告情報と、を取得する情報取得手段（１２１）と、タイムラインの有効時間に基づいて、広告情報の出力タイミングを決定するタイミング決定手段（１２４）と、投稿情報を出力すると共に、出力タイミングに応じて広告情報を出力する出力制御手段（１２２）と、を備える。【選択図】図１
2014102759.tif 000002
【特許請求の範囲】
【請求項１】
所定数の情報が時系列で表示されるタイムラインに、投稿情報および広告情報を表示させる情報処理システムであって、
前記投稿情報と、前記広告情報と、を取得する情報取得手段と、前記タイムラインの有効時間に基づいて、前記広告情報の出力タイミングを決定するタイミング決定手段と、前記投稿情報を出力すると共に、前記出力タイミングに応じて前記広告情報を出力する出力制御手段と、を備えることを特徴とする情報処理システム。
【請求項２】
前記有効時間は、前記タイムラインに、前記情報が存在する時間である、請求項１に記載の情報処理システム。
【請求項３】
前記情報取得手段は、前記投稿情報および前記広告情報を、複数の情報から構成される取得グループ単位で取得し、前記有効時間は、前記取得グループに、前記情報が存在する時間である、請求項１または２に記載の情報処理システム。
【請求項４】
前記タイミング決定手段は、前記タイムラインに表示される複数の投稿情報のそれぞれについて、前記有効時間を計算し、計算した有効時間の平均値である平均有効時間に応じた出力間隔で前記広告情報が出力されるように、前記出力タイミングを決定する、請求項１乃至３の何れかに記載の情報処理システム。
【請求項５】
前記タイミング決定手段は、前記有効時間と、前記広告情報の広告料とに基づいて、前記出力タイミングを決定する、請求項１乃至４の何れかに記載の情報処理システム。
【請求項６】
前記情報取得手段は、前記投稿情報の投稿内容に応じた広告情報を取得する、請求項１乃至５の何れかに記載の情報処理システム。
【請求項７】
所定数の情報が時系列で表示されるタイムラインに、投稿情報および広告情報を表示させる情報処理装置であって、前記投稿情報と、前記広告情報と、を取得する情報取得手段と、前記タイムラインの有効時間に基づいて、前記広告情報の出力タイミングを決定するタイミング決定手段と、前記投稿情報を出力すると共に、前記出力タイミングに応じて前記広告情報を出力する出力制御手段と、を備えることを特徴とする情報処理装置。
【請求項８】
所定数の情報が時系列で表示されるタイムラインに表示すべき投稿情報および広告情報を出力するサーバであって、前記投稿情報と、前記広告情報と、を取得する情報取得手段と、前記タイムラインの有効時間に基づいて、前記広告情報の出力タイミングを決定するタイミング決定手段と、前記投稿情報を出力すると共に、前記出力タイミングに応じて前記広告情報を出力する出力制御手段と、を備えることを特徴とするサーバ。
【請求項９】
所定数の情報が時系列で表示されるタイムラインに、投稿情報および広告情報を表示する端末装置であって、前記投稿情報と、前記広告情報とを取得する情報取得手段と、前記投稿情報の投稿時刻に応じて前記タイムラインに前記投稿情報を表示し、かつ、前記タイムラインの有効時間に基づいて決まる出力タイミングに応じて前記タイムラインに前記広告情報を表示する表示手段と、を備えることを特徴とする端末装置。
【請求項１０】
所定数の情報が時系列で表示されるタイムラインに、投稿情報および広告情報を表示させる情報処理方法であって、コンピュータが、前記投稿情報と、前記広告情報と、を取得するステップと、前記タイムラインの有効時間に基づいて、前記広告情報の出力タイミングを決定するステップと、前記投稿情報を出力すると共に、前記出力タイミングに応じて前記広告情報を出力するステップと、を実行することを特徴とする情報処理方法。
【請求項１１】
所定数の情報が時系列で表示されるタイムラインに、投稿情報および広告情報を表示させるプログラムであって、コンピュータに、前記投稿情報と、前記広告情報と、を取得するステップと、前記タイムラインの有効時間に基づいて、前記広告情報の出力タイミングを決定するステップと、前記投稿情報を出力すると共に、前記出力タイミングに応じて前記広告情報を出力するステップと、を実行させることを特徴とするプログラム。
【発明の詳細な説明】
【技術分野】
【０００１】
本発明の実施形態は、情報処理システム、情報処理装置、サーバ、端末装置、情報処理方法、及びプログラムに関し、特に、投稿情報の投稿頻度に応じたタイミングで広告情報を提供する、情報処理システム、情報処理装置、サーバ、端末装置、情報処理方法、及びプログラムに関する。
【背景技術】
【０００２】
従来、ユーザが感心のある駅（以下「注目駅」という）に対する投稿情報をリアルタイムに取得し、取得した投稿情報を表示する技術が知られている。また、特許文献１には、ウェブページに表示すべき広告情報の表示頻度（表示間隔）を、表示回数、大きさ、およびカテゴリに基づいて決定する技術が開示されている。
【先行技術文献】
【特許文献】
【０００３】
【特許文献１】特開２０１１−９６０９３号公報
【発明の概要】
【発明が解決しようとする課題】
【０００４】
一般に、投稿時刻に基づいて投稿情報を所定個数表示するタイムラインは、投稿情報の投稿頻度に応じて変化するので、広告が効果を発揮する時間（以下「広告効果発揮時間」という）は、投稿情報の投稿頻度に依存する。したがって、投稿頻度が高くなるほど、広告効果発揮時間は短くなり、結果として、広告効果が低減することになる。
【０００５】
しかしながら、特許文献１の技術は、ウェブページに表示すべき広告情報の表示頻度を決定（すなわち、制御）する技術であり、タイムライン上での投稿情報の投稿頻度に応じて広告情報を効果的に提供することはできない。
【０００６】
本発明は、上記の問題に鑑みてなされたものである。本発明の目的は、投稿情報の投稿頻度に応じて広告情報を効果的に提供することである。
【課題を解決するための手段】
【０００７】
本発明の実施形態の情報処理システムは、所定数の情報が時系列で表示されるタイムラインに、投稿情報および広告情報を表示させる。この情報処理システムは、前記投稿情報と、前記広告情報と、を取得する情報取得手段と、前記タイムラインの有効時間に基づいて、前記広告情報の出力タイミングを決定するタイミング決定手段と、前記投稿情報を出力すると共に、前記出力タイミングに応じて前記広告情報を出力する出力制御手段と、を備える。
【発明の効果】
【０００８】
本発明によれば、投稿情報の投稿頻度に応じて広告情報を効果的に提供することができる。
【図面の簡単な説明】
【０００９】
【図１】本実施形態の情報処理システム１の構成を示すブロック図。
【図２】本実施形態の情報処理のシーケンス図。
【図３】本実施形態のＳ１−３０の説明図。
【図４】本実施形態の更新リクエストのデータ構造を示す図。
【図５】本実施形態の出力情報作成処理のフローチャート。
【図６】本実施形態の投稿情報ＤＢのデータ構造を示す図。
【図７】本実施形態の有効時間の第１例の説明図。
【図８】本実施形態の有効時間の第２例の説明図。
【図９】本実施形態の有効時間の第１例（図７）に対応するＳ１−１０６の説明図。
【図１０】本実施形態の有効時間の第２例（図８）に対応するＳ１−１０６の説明図。
【図１１】本実施形態の有効時間の第２例（図８および１０）に対応するＳ１−３２の説明図。
【図１２】本実施形態の変形例のＳ１−３２の説明図。
【発明を実施するための形態】
【００１０】
本実施形態について、図面を参照して説明する。
【００１１】
本実施形態の情報処理システム１の構成について説明する。図１は、本実施形態の情報処理システム１の構成を示すブロック図である。
【００１２】
図１に示すように、情報処理システム１は、サーバ１０と、端末装置３０と、ネットワーク５０と、を備える。サーバ１０および端末装置３０は、ネットワーク５０を介して互いに通信可能である。サーバ１０の数は、１台であってもよいし、複数台であってもよい。端末装置３０の数は、１台であってもよいし、複数台であってもよい。ネットワーク５０は、有線ネットワークであってもよいし、無線ネットワークであってもよい。サーバ１０と端末装置３０との間の通信は、ネットワーク５０以外の媒体（例えば、ＵＳＢ（Ｕｎｉｖｅｒｓａｌ  Ｓｅｒｉａｌ  Ｂｕｓ）等のデータバスケーブル、又はＳＤ（Ｓｅｃｕｅｒｅ  Ｄｉｇｉｔａｌ）カード等のリムーバルメディア）を介して行われてもよい。
【００１３】
サーバ１０は、サーバ制御部１２と、サーバ記憶部１４と、サーバ通信部１６と、を備える。
【００１４】
サーバ制御部１２は、サーバ通信制御部１２０と、サーバ情報取得部１２１と、サーバ出力制御部１２２と、タイミング決定部１２４と、を備える。サーバ制御部１２の各部については、後述する。
【００１５】
サーバ記憶部１４には、サーバ制御部１２が取り扱うデータが記憶される。例えば、サーバ記憶部１４には、道路ネットワークを示す道路ネットワーク情報（道路ネットワークＤＢ（Ｄａｔａ  Ｂａｓｅ））と、駅を経由する交通機関の交通ネットワークおよび運行情報を示す交通ネットワーク情報（交通ネットワークＤＢ）と、道路ネットワークおよび交通ネットワークの少なくとも１つに関連付けられた施設を示す施設情報（施設情報ＤＢ）と、投稿情報が格納された投稿情報ＤＢと、広告情報が格納された広告情報ＤＢと、サーバ制御部１２が実行可能なアプリケーションと、が記憶される。
【００１６】
サーバ通信部１６は、サーバ１０とネットワーク５０との間の通信インタフェースである。
【００１７】
端末装置３０は、端末制御部３２と、端末記憶部３４と、端末通信部３６と、操作部３８と、測位部４０と、表示部４２と、を備える。例えば、端末装置３０は、デスクトップコンピュータ、ノートブックコンピュータ、携帯電話、スマートフォン、タブレット端末、又はカーナビゲーション装置である。
【００１８】
端末制御部３２は、端末通信制御部３２０と、端末情報取得部３２１と、端末出力制御部３２２と、リクエスト発行部３２４と、を備える。端末制御部３２の各部については、後述する。
【００１９】
端末記憶部３４には、端末制御部３２が取り扱うデータが記憶される。例えば、端末記憶部３４には、ユーザ情報と、端末制御部３２が実行可能なアプリケーションと、が記憶される。
【００２０】
端末通信部３６は、端末装置３０とネットワーク５０との間の通信インタフェースである。
【００２１】
操作部３８は、ユーザから、ユーザ指示を受け付ける。例えば、操作部３８は、タッチパネルである。この場合には、ユーザは、タッチパネルを用いて所定の操作（例えば、タッチ又はスワイプ）を行うことにより、端末装置３０にユーザ指示を与える。操作部３８は、ユーザが行った操作に応じて、ユーザ指示を受け付ける。
【００２２】
測位部４０は、測位情報を取得する。測位情報は、端末装置３０の測位位置を示す測位位置情報と、端末装置３０の測位方位を示す測位方位情報と、を含む。例えば、測位部４０は、ＧＰＳ（Ｇｌｏｂａｌ  Ｐｏｓｉｔｉｏｎｉｎｇ  Ｓｙｓｔｅｍ）レシーバである。
【００２３】
表示部４２は、様々な情報を表示する。例えば、表示部４２は、液晶ディスプレイ又は有機ＥＬ（Ｅｌｅｃｔｒｏｌｕｍｉｎｅｓｃｅｎｃｅ）ディスプレイである。なお、操作部３８および表示部４２は、一体のモジュール（例えば、タッチパネル型ディスプレイ）であってもよい。
【００２４】
なお、サーバ記憶部１４および端末記憶部３４は、それぞれ、サーバ１０および端末装置３０の外部に設けられ、ネットワーク５０を介して、サーバ１０および端末装置３０と接続されてもよい。
【００２５】
本実施形態の情報処理について説明する。図２は、本実施形態の情報処理のシーケンス図である。図２の情報処理は、端末制御部３２が情報処理アプリケーションを起動したときに開始される。情報処理アプリケーションとは、コンピュータに情報処理を実行させるためのコンピュータプログラムである。
【００２６】
＜Ｓ１−３０＞  サーバ１０または端末装置３０が、出力情報作成処理（Ｓ１−１０）の実行を要求するための更新リクエスト発行処理を行う。
【００２７】
図３は、本実施形態のＳ１−３０の説明図である。
【００２８】
端末装置３０の表示部４２には、図３（Ａ）の投稿情報表示画面が表示される。投稿情報表示画面は、タイムラインＴＬと、スクロールバー３８ａおよび更新アイコン３８ｂ（操作部３８および表示部４２により実現される指示受付手段）と、を含む。タイムラインＴＬには、端末装置３０がサーバ１０から一度に取得可能なｎ（ｎ≧２）個の投稿情報のうち、タイムラインＴＬに表示可能なｋ（１≦ｋ≦ｎ）個の情報（投稿情報および広告情報）が時系列で表示される。ｎの値は、固定値、またはユーザが任意に決めた値である。ｋの値は、表示部４２のサイズおよびタイムラインＴＬに表示される投稿情報の表示サイズの少なくとも１つによって決まる。
【００２９】
例えば、タイムラインＴＬには、情報取得要求時刻（具体的には、更新リクエスト発行処理を行った時刻）に最も近い投稿時刻を有する投稿情報から、時系列順に沿って、ｋ個の投稿情報が並んで表示される。本実施形態では、上記のようにｋ個の投稿情報が並んで表示されるタイムラインＴＬに、広告情報も表示される。
【００３０】
ユーザが、例えばスクロールバー３８ａを操作するなどして、スクロール操作を行うと、図３（Ｂ）に示すように、タイムラインＴＬに表示される情報が変わる。これにより、ユーザは、投稿されてからの経過時間が有効時間内である広告情報（すなわち、スクロールバー３８ａが最上部に位置するときのタイムラインＴＬには表示されていないものの、スクロールバー３８ａが下方に移動したときのタイムラインＴＬに表示される、広告情報）を見ることができる。スクロール操作は、スクロールバー３８ａの操作を介して認識されるものに限らず、マウス等の操作部３８からのスクロール操作、または、表示部４２がタッチパネルである場合のフリック操作などを介して認識されるものであっても良い。
【００３１】
Ｓ１−３０の第１例では、サーバ１０が、所定時間ごとに更新リクエストを発行し、当該更新リクエストに応じてＳ１−１０を実行するので、投稿情報表示画面の投稿情報表示欄（１）〜（ｋ）に表示される投稿情報は、ユーザが端末装置３０を操作しなくても、所定時間ごとに更新される。特に、所定時間が極めて短い場合には、投稿情報がリアルタイムに更新される。すなわち、Ｓ１−３０の第１例は、プッシュ型送信の例である。
【００３２】
Ｓ１−３０の第２例では、端末装置３０が、サーバ１０に対する更新リクエストを発行し、サーバ１０が、この更新リクエストに応じてＳ１−１０を実行するので、投稿情報表示画面の投稿情報表示欄（１）〜（ｋ）に表示される投稿情報は、端末装置３０が更新リクエストを発行するタイミングに応じて更新される。すなわち、Ｓ１−３０の第２例は、プル型送信の例である。
【００３３】
より具体的には、ユーザが操作部３８に対して所定の操作を行うと、リクエスト発行部３２４が、更新リクエストを発行する。これにより、ユーザは、投稿されてからの経過時間が有効時間以後である広告情報（すなわち、端末装置３０が取得していない投稿情報）を、サーバ１０からダウンロードすることができる。例えば、所定の操作は、更新アイコン３８ｂのタッチまたはタイムラインＴＬの所定方向へのスワイプである。
【００３４】
図４は、本実施形態の更新リクエストのデータ構造を示す図である。
【００３５】
図４に示すように、更新リクエストは、ユーザＩＤ（Ｉｄｅｎｔｉｆｉｃａｔｉｏｎ）と、最終更新日時と、が含まれる。ユーザＩＤとは、端末装置３０のユーザを識別する情報である。最終更新日時とは、端末装置３０が直近の更新リクエストを発行した日時、または、端末装置３０が当該直近の更新リクエストに対応する出力情報を取得した日時である。
【００３６】
＜Ｓ１−１０＞  サーバ１０が、出力情報作成処理を実行する。
【００３７】
本実施形態の出力情報処理について説明する。図５は、本実施形態の出力情報作成処理のフローチャートである。
【００３８】
＜Ｓ１−１００＞  サーバ情報取得部１２１が、更新リクエストに基づいて、出力対象情報を取得する。例えば、サーバ情報取得部１２１は、サーバ記憶部１４の投稿情報ＤＢから、更新用の投稿情報（すなわち、端末装置３０に送信されていない投稿情報）を取得し、かつ、サーバ記憶部１４の広告情報ＤＢから、投稿情報と共に表示すべき広告情報を取得する。
【００３９】
図６は、本実施形態の投稿情報ＤＢのデータ構造を示す図である。
【００４０】
図６に示すように、投稿情報ＤＢには、複数の投稿情報と、投稿情報管理テーブルと、が格納されている。
【００４１】
各投稿情報は、投稿ＩＤと、投稿ＩＤに関連付けられた情報（投稿内容、投稿日時、および投稿位置情報）と、を含む。投稿ＩＤとは、投稿情報を識別する情報である。投稿内容とは、文字、画像、動画、およびＵＲＬ（Ｕｎｉｆｏｒｍ  Ｒｅｓｏｕｒｃｅ  Ｌｏｃａｔｏｒ）の少なくとも１つを含む情報である。投稿日時とは、投稿情報が投稿された日時（例えば、端末装置３０が投稿情報を取得した日時、または、投稿情報が投稿情報ＤＢに格納された日時）を示す情報である。投稿位置情報とは、投稿情報が投稿された位置（以下「投稿位置」という）（例えば、端末装置３０が投稿情報を取得したときの測位位置）を示す情報である。
【００４２】
投稿情報管理テーブルは、端末装置３０に提供すべき投稿情報を管理する情報である。投稿情報管理テーブルは、ユーザＩＤと、ユーザＩＤに関連付けられた情報（送信リスト）と、を含む。送信リストは、更新用の投稿情報の投稿ＩＤの集合を示す情報である。
【００４３】
更新用の投稿情報とは、投稿情報ＤＢに格納された全ての投稿情報のうち、更新リクエストに含まれるユーザＩＤに関連付けられた送信リストに含まれており、かつ、更新リクエストに含まれる最終更新日時以降の投稿日時を有するｎ個の投稿情報である。
【００４４】
また、例えば、サーバ情報取得部１２１は、投稿情報の投稿内容（例えば、文字列（すなわち、キーワード））および投稿位置情報の少なくとも１つに基づいて、投稿情報に関連する広告情報（例えば、キーワードに該当する広告情報、または投稿位置情報が示す位置に該当する施設の広告情報）を取得する。
【００４５】
＜Ｓ１−１０１＞  Ｓ１−１００で取得した出力対象情報が広告情報である場合には（Ｓ１−１０１：Ｙ）、Ｓ１−１０２に進む。一方、Ｓ１−１００で取得した出力対象情報が投稿情報である場合には（Ｓ１−１０１：Ｎ）、Ｓ１−１０６に進む。
【００４６】
＜Ｓ１−１０２＞  タイミング決定部１２４が、タイムラインの有効時間を計算する。有効時間とは、将来の時点において広告情報が広告効果を有効に発揮し得る時間（以下「広告効果発揮時間」という）に相当する。
【００４７】
図７は、本実施形態の有効時間の第１例の説明図である。
【００４８】
時刻ｔ０では、図７（Ａ）に示すように、タイムラインＴＬの先頭の投稿表示欄（１）から終端の投稿表示欄（ｋ）に、それぞれ、投稿情報または広告情報が表示されている。時刻ｔ０において、図７（Ａ）の投稿表示欄（１）に表示されていた広告情報が、時刻ｔ１（ｔ１＞ｔ０）では、図７（Ｂ）に示すように、タイムラインＴＬから消える。図７の例では、有効時間とは、広告情報が、タイムラインＴＬの先頭に表示されてから、タイムラインＴＬから消えるまでの時間（ｔ１−ｔ０）である。この有効時間（ｔ１−ｔ０）は、広告情報がタイムラインＴＬに継続して存在する時間であり、投稿情報の投稿頻度が高いほど短くなる。
【００４９】
図８は、本実施形態の有効時間の第２例の説明図である。
【００５０】
時刻ｔ０では、図８（Ａ）に示すように、投稿情報の取得単位（すなわち、サーバ１０から端末装置３０に一度に送信される投稿情報の集合）である取得グループＧには、投稿情報および広告情報が含まれている。時刻ｔ０において、図８（Ａ）の取得グループＧの先頭に位置していた広告情報が、時刻ｔ２（ｔ２＞ｔ０）では、図８（Ｂ）に示すように、取得グループＧから消える。図８の例の有効時間とは、広告情報が、取得グループＧの先頭に位置してから、取得グループＧから消えるまでの時間（ｔ２−ｔ０）である。この有効時間（ｔ２−ｔ０）は、投稿情報が取得グループＧに継続して存在する時間であり、投稿情報の投稿頻度が高いほど短くなる。
【００５１】
次に、本実施形態の有効時間の第３例について説明する。有効時間の第３例では、タイミング決定部１２４は、過去の投稿情報の更新頻度に基づいて、有効時間を計算する。
【００５２】
例えば、タイミング決定部１２４は、サーバ記憶部１４の投稿情報ＤＢにアクセスして、過去の投稿情報の更新頻度を示す更新履歴情報を取得する。次いで、タイミング決定部１２４は、更新履歴情報に基づいて、過去の一定期間内に送信された投稿情報の平均値を計算する。次いで、タイミング決定部１２４は、計算した平均値に基づいて、後述するＳ１−１０６において出力する広告情報がタイムラインＴＬに存在し得る時間の予測値を、有効時間として計算する。この有効時間は、過去の一定期間内に送信された投稿情報の数が多いほど、短くなる。
【００５３】
なお、有効時間の第１例〜第３例は、互いに組合せ可能である。
【００５４】
＜Ｓ１−１０４＞  タイミング決定部１２４が、Ｓ１−１０２で計算した有効時間に基づいて、広告情報の出力タイミングを決定する。
【００５５】
＜Ｓ１−１０６＞  サーバ出力制御部１２２が、出力情報を出力する。出力情報は、Ｓ１−１００で取得された、少なくとも１つの投稿情報または少なくとも１つの広告情報である。すなわち、投稿情報は、Ｓ１−１０２およびＳ１−１０４が実行されることなく出力されるのに対して、広告情報は、Ｓ１−１０２およびＳ１−１０４が実行されることにより、Ｓ１−１０４で決定された出力タイミングに基づいて出力される。
【００５６】
図９は、本実施形態の有効時間の第１例（図７）に対応するＳ１−１０６の説明図である。
【００５７】
図９（Ａ）は、図７（Ａ）と同様である。時刻ｔ１では、図９（Ｂ）に示すように、時刻ｔ０においてタイムラインＴＬの先頭の投稿表示欄（１）に表示されていた広告情報がタイムラインＴＬから消え、投稿表示欄（１）に広告情報が新たに表示される。すなわち、広告情報は、時刻ｔ１において、タイムラインＴＬの終端の投稿表示欄（ｋ）から先頭の投稿表示欄（１）へ移動する。広告情報は、有効時間（ｔ１−ｔ０）間隔で出力されるので、時刻ｔ１からさらに有効時間が経過したときも、図９（Ｂ）と同様に、広告情報が、タイムラインＴＬの投稿表示欄（ｋ）から先頭の投稿表示欄（１）へ移動する。図９の例によれば、広告情報がタイムラインＴＬに表示されている状態を維持することができる。
【００５８】
図１０は、本実施形態の有効時間の第２例（図８）に対応するＳ１−１０６の説明図である。
【００５９】
図１０（Ａ）は、図８（Ａ）と同様である。時刻ｔ２では、図１０（Ｂ）に示すように、時刻ｔ０において取得グループＧの先頭に位置していた広告情報が取得グループＧから消え、取得グループＧの先頭に広告情報が新たに配置される。すなわち、広告情報は、時刻ｔ２において、取得グループＧの終端から先頭へ移動する。広告情報は、有効時間（ｔ２−ｔ０）間隔で出力されるので、時刻ｔ２からさらに有効時間が経過したときも、図１０（Ｂ）と同様に、広告情報が、取得グループＧ終端から先頭へ移動する。図１０の例によれば、広告情報が取得グループＧに配置されている状態を維持することができる。これにより、広告効果発揮時間が持続され、結果として、広告効果を改善することができる。
【００６０】
また、有効時間の第３例に対応するＳ１−１０６では、投稿情報は、投稿時刻順に順次出力されるのに対して、広告情報は、Ｓ１−１０４で決定した出力タイミングで出力される。これにより、端末装置３０は、有効時間に応じて広告情報を取得することができる。
【００６１】
次いで、サーバ通信制御部１２０が、サーバ通信部１６およびネットワーク５０を介して、作成した出力情報を端末装置３０に送信する。
【００６２】
＜Ｓ１−３２＞  サーバ１０から出力情報が送信されると、端末装置３０が、表示部４２に出力情報を表示する。
【００６３】
本実施形態の有効時間の第１例（図７および９）または第３例では、図９の投稿情報表示画面が表示部４２に表示される。これにより、ユーザがスクロールバー３８ａを操作しなかったとしても、広告効果発揮時間が持続され、結果として、広告効果を改善することができる。
【００６４】
図１１は、本実施形態の有効時間の第２例（図８および１０）に対応するＳ１−３２の説明図である。
【００６５】
本実施形態の有効時間の第２例（図８および１０）の例では、図１１（Ａ）に示すように、時刻ｔ２において、タイムラインＴＬに広告情報が表示されていなかったとしても、ユーザがスクロールバー３８ａを操作することにより、更新アイコン３８ｂを操作することなく投稿表示欄（ｋ−１）に広告情報が表示される。これにより、ユーザが更新アイコン３８ｂを操作しなかったとしても、広告効果発揮時間が持続され、結果として、広告効果を改善することができる。
【００６６】
図１２は、本実施形態の変形例のＳ１−３２の説明図である。
【００６７】
図１２に示すように、端末装置３０は、鉄道の駅ごとに投稿情報が配置されるようなユーザインタフェースを有する投稿情報表示画面であって、少なくとも１つの駅に対応する位置に、本実施形態のタイムラインＴＬが配置された投稿情報表示画面を、表示部４２に表示してもよい。図１２の例では、Ｂ駅およびＤ駅のタイムライン上に、Ｂ駅およびＤ駅に共通する広告情報１が配置され、Ｅ駅のタイムライン上にＥ駅に関する広告情報２が配置されている。
【００６８】
本実施形態によれば、投稿情報の投稿頻度に応じて広告情報を効果的に提供することができる。その結果、広告情報が、タイムラインＴＬ（すなわち、ユーザがスクロールバー３８ａを操作せずに閲覧できる位置）や取得グループＧ（すなわち、ユーザが更新ボタン３８ｂを操作せずに閲覧できる位置）に存在し続ける状態を維持することができる。これにより、広告効果発揮時間が持続され、結果として、広告効果を改善することができる。
【００６９】
なお、本実施形態では、Ｓ１−１０４において、タイミング決定部１２４が、有効時間に加えて、広告情報に対して広告主が支払う広告料に基づいて、出力タイミングを決定してもよい。より具体的には、タイミング決定部１２４は、図７または図８の例に従って有効時間の平均値である平均有効時間に応じた出力間隔を計算した後に、広告料が高い広告情報については出力間隔が短くなるように出力タイミングを決定し、広告料が安い広告情報については出力間隔が長くなるように出力タイミングを決定する。これにより、広告料が高い広告情報ほど、広告効果を向上させることができる。
【００７０】
また、本実施形態では、Ｓ１−１００において、サーバ情報取得部１２１が、投稿情報の投稿内容に基づいて交通機関の遅延時間を取得し、取得した遅延時間に応じた広告情報を取得してもよい。
【００７１】
また、本実施形態では、Ｓ１−１０６において、サーバ出力制御部１２２が、図９、１１または１２に示すような投稿情報表示画面の画像データを、出力情報として出力してもよい。具体的には、サーバ出力制御部１２２は、投稿時刻に応じた位置に投稿情報を配置し、出力タイミングに応じた位置に広告情報を配置することにより、投稿情報表示画面の画像データを生成し、生成した画像データを端末装置３０に送信してもよい。この場合には、Ｓ１−３２において、端末装置３０は、サーバ１０から出力された画像データを表示部４２に表示する。
【００７２】
また、本実施形態では、Ｓ１−１０６において、サーバ出力制御部１２２が、図９、１１または１２に示すような投稿情報表示画面のように、投稿時刻に応じた投稿情報配置と、出力タイミングに応じた広告情報配置とを示す配置情報と、投稿情報と、配置情報と、を出力情報として出力してもよい。具体的には、サーバ出力制御部１２２は、投稿時刻に基づいて投稿情報配置を示す第１配置情報を生成し、出力タイミングに基づいて広告情報配置を示す第２配置情報を生成し、そして、第１配置情報と、第２配置情報と、投稿情報と、広告情報と、を端末装置３０に送信してもよい。この場合には、Ｓ１−３２において、端末装置３０は、サーバ１０から出力された投稿情報および広告情報を、それぞれ、第１配置情報および第２配置情報に基づいて配置することによって、図９、１１、または１２に示すような投稿情報表示画面を生成し、そして、生成した投稿情報表示画面を表示部４２に表示する。
【００７３】
本実施形態に係る情報処理システム１の少なくとも一部は、ハードウェアで構成してもよいし、ソフトウェアで構成してもよい。ソフトウェアで構成する場合には、情報処理システム１の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７４】
また、本実施形態に係る情報処理システム１の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７５】
なお、本発明は、上述した実施形態に限定されるものではなく、その要旨を逸脱しない範囲で構成要素を変形して具体化される。また、上述した実施形態に開示されている複数の構成要素の適宜な組み合わせにより、種々の発明が形成可能である。例えば、上述した実施形態に示される全構成要素から幾つかの構成要素を削除してもよい。さらに、異なる実施形態にわたる構成要素を適宜組み合わせてもよい。
【符号の説明】
【００７６】
１  情報処理システム
１０  サーバ
１２  サーバ制御部
１２０  サーバ通信制御部
１２１  サーバ情報取得部
１２２  サーバ出力制御部
１２４  タイミング決定部
１４  サーバ記憶部
１６  サーバ通信部
３０  端末装置
３２  端末制御部
３２０  端末通信制御部
３２１  端末情報取得部
３２２  端末出力制御部
３２４  リクエスト発行部
３４  端末記憶部
３６  端末通信部
３８  操作部
４０  測位部
４２  表示部
【図１】
2014102759.tif 000003
【図２】
2014102759.tif 000004
【図３】
2014102759.tif 000005
【図４】
2014102759.tif 000006
【図５】
2014102759.tif 000007
【図６】
2014102759.tif 000008
【図１２】
2014102759.tif 000009
【図７】
2014102759.tif 000010
【図８】
2014102759.tif 000011
【図９】
2014102759.tif 000012
【図１０】
2014102759.tif 000013
【図１１】
2014102759.tif 000014